(57)【要約】【課題】患者が歯磨き操作の磨残し量及びその詳細な部位の評価結果を具体的且つ容易に知ることができ、その評価結果を以後のブラッシングに生かすことができる歯ブラシ処方袋を提供する。【解決手段】歯ブラシ処方袋１０は、歯磨き操作の磨残し量の評価結果を記入するためにその歯ブラシ処方袋１０の一面に表示された磨残し量評価結果表示部１６と、複数の歯のうち、その磨残し量評価結果表示部１６において評価された磨残しの存在部位を記入するための歯の図が表示されたブラッシング残部位表示部２０とを含むことから、その歯ブラシ処方袋１０の表示を見るだけで、磨残し量及びその磨残しの存在する歯の部位を容易に知ることができる。【選択図】図１
0003159825.tif 000002
【実用新案登録請求の範囲】
【請求項１】
生体の口腔内に配列された複数の歯の歯磨き操作を評価するための該歯磨きに用いた歯ブラシを収納するための歯ブラシ処方袋であって、
前記歯磨き操作の磨残し量の評価結果を記入するために該歯ブラシ処方袋の一面に表示された磨残し量評価結果表示部と、
前記複数の歯のうち、該磨残し量評価結果表示部において評価された磨残しの存在部位を記入するための歯の図が表示されたブラッシング残部位表示部と
を、含むことを特徴とする歯ブラシ処方袋。
【請求項２】
前記ブラッシング残部位表示部は、前記口腔内に配列された複数の歯を示す歯列図を、含むものである請求項１の歯ブラシ処方袋。
【請求項３】
前記評価は、互いに隣接する歯の間、歯と歯肉との間、臼歯の歯面のうちの少なくとも１つに関するものであり、
前記磨残し量評価結果表示部は、前記互いに隣接する歯の間、歯と歯肉との間、臼歯の歯面のうちの少なくとも１つについて評価された磨残し量の評価結果を表示する少なくとも１つの項目別磨残し量評価結果表示部を、含むものであり、
前記ブラッシング残部位表示部は、前記項目別磨残し量評価結果表示部に対応して配置され、該項目別磨残し量評価結果表示部で評価された磨残し量の存在部位を示すための前記互いに隣接する歯の間、歯と歯肉との間、臼歯の歯面の少なくとも１つを示す図が表示された項目別ブラッシング残部位表示部を、含むものである請求項２の歯ブラシ処方袋。
【請求項４】
前記歯ブラシの毛先の種類を示す毛先種類表示部と、
該歯ブラシの毛の硬さを、前記生体の口腔内の状態の程度を示す口腔内状態表示に対応させて示す毛硬さ表示部と
を、更に含むものである請求項１乃至３の何れか１に記載の歯ブラシ処方袋。
【考案の詳細な説明】
【技術分野】
【０００１】
本考案は、ブラッシング評価のために使用した歯ブラシを収納するための歯ブラシ処方袋に関するものである。
【背景技術】
【０００２】
一般に、歯科医院等において歯磨き操作の磨残し量を評価するにあたり、磨残し、すなわち歯垢（プラーク）の検出を容易に行うため、染め出し液を用いて歯の表面に付着した歯垢を染色することにより磨残し及びその部位を特定する方法が知られている。そして、指導者はその染色部分のうちブラッシングにより除去されない面積を見て、磨残し量を評価している。その際、指導者は、ブラッシング評価のために、鏡の前で実際の歯を示して評価結果を説明するか、評価記録紙に評価結果を記録し、指導を受けた者の以後のブラッシングの参考資料にしてもらうようにしている。
【０００３】
ところで、上記従来のブラッシングの評価結果を評価記録紙に記録する方法は、磨残し量の全体評価やその磨残しのある歯の部位を示すことはできたが、その評価結果を患者が具体的且つ容易に理解できるように表示する方法は存在せず、多くの場合は指導者が言葉により説明していた。
【０００４】
これに対し、特許文献１では、口腔内の部位ごとに歯磨きの難易度を決め、その部位の歯垢の有無により歯磨きの技術到達度を表す方法を提案している。その一例として、レベル１からレベル５へとレベルが上がるにつれて歯磨きの難易度が増すようレベルを定めた表を示し、その表に従って、レベル１該当部位から探針等で歯垢の有無を判定し、歯垢の見つかった部位を含むレベルをその個人の歯磨き技術達成度レベルとする歯磨き技術達成度の評価方法を提案している。
【先行技術文献】
【特許文献】
【０００５】
【特許文献１】特開２０００−０３５７５１号公報
【考案の概要】
【考案が解決しようとする課題】
【０００６】
しかしながら、上記従来の評価方法は一本一本の歯単位で評価しておらず、総合的なレベルを表に示すものであるので、実際に磨残しがある歯の詳細な部位までは評価できていなかった。また、その評価方法において一例として示された表には、歯のそれぞれの部位を示す表現として、歯科の分野における専門用語を用いているため、患者にとって理解し難い評価結果であった。それゆえ、その評価結果からどの部位をどのように磨くことで歯磨き技術が向上するのか理解し難く、以後のブラッシングに活用することが困難であった。
【０００７】
本考案は以上の事情を背景として為されたものであり、その目的とするところは、患者が歯磨き操作の磨残し量及びその詳細な部位の評価結果を具体的且つ容易に知ることができ、その評価結果を以後のブラッシングに活用することができる歯ブラシ処方袋を提供することにある。
【課題を解決するための手段】
【０００８】
本考案者は、以上の事情を背景として種々検討を重ねた結果、ブラッシング評価のために使用した歯ブラシは歯ブラシ処方袋に収納して、指導を受けた者へ渡されるので、その歯ブラシ処方袋を利用してブラッシング評価結果を記録すれば、指導を受けた者が、その後にブラッシングしようとするときに、指導者から受けたブラッシング評価結果を容易且つ正確に認識して以後のブラッシングを行うことができることを見出した。本考案はこのような知見に基づいて為されたものである。
【０００９】
すなわち、本考案の要旨とするところは、（ａ）生体の口腔内に配列された複数の歯の歯磨き操作を評価するためのその歯磨きに用いた歯ブラシを収納するための歯ブラシ処方袋であって、（ｂ）前記歯磨き操作の磨残し量の評価結果を記入するためにその歯ブラシ処方袋の一面に表示された磨残し量評価結果表示部と、（ｃ）前記複数の歯のうち、その磨残し量評価結果表示部において評価された磨残しの存在部位を記入するための歯の図が表示されたブラッシング残部位表示部とを、含むことを特徴とする。
【００１０】
また、請求項２に係る考案の要旨とするところは、請求項１に係る考案において、前記ブラッシング残部位表示部は、前記口腔内に配列された複数の歯を示す歯列図を、含むものである。
【００１１】
また、請求項３に係る考案の要旨とするところは、請求項２に係る考案において、（ａ）前記評価は、互いに隣接する歯の間、歯と歯肉との間、臼歯の歯面のうちの少なくとも１つに関するものであり、（ｂ）前記磨残し量評価結果表示部は、前記互いに隣接する歯の間、歯と歯肉との間、臼歯の歯面のうちの少なくとも１つについて評価された磨残し量の評価結果を表示する少なくとも１つの項目別磨残し量評価結果表示部を、含むものであり、（ｃ）前記ブラッシング残部位表示部は、前記項目別磨残し量評価結果表示部に対応して配置され、その項目別磨残し量評価結果表示部で評価された磨残し量の存在部位を示すための前記互いに隣接する歯の間、歯と歯肉との間、臼歯の歯面の少なくとも１つを示す図が表示された項目別ブラッシング残部位表示部を、含むものである。
【００１２】
また、請求項４に係る考案の要旨とするところは、請求項１乃至３の何れか１に係る考案において、（ａ）前記歯ブラシの毛先の種類を示す毛先種類表示部と、（ｂ）該歯ブラシの毛の硬さを、前記生体の口腔内の状態の程度を示す口腔内状態表示に対応させて示す毛硬さ表示部とを、更に含むものである。
【考案の効果】
【００１３】
請求項１に係る考案の歯ブラシ処方袋によれば、前記歯磨き操作の磨残し量の評価結果を記入するためにその歯ブラシ処方袋の一面に表示された磨残し量評価結果表示部と、前記複数の歯のうち、その磨残し量評価結果表示部において評価された磨残しの存在部位を記入するための歯の図が表示されたブラッシング残部位表示部とを、含むことから、その歯ブラシ処方袋の表示を見るだけで、磨残し量及びその磨残しの存在する歯の部位を容易に知ることができる。
【００１４】
また、請求項２に係る考案の歯ブラシ処方袋によれば、前記ブラッシング残部位表示部は、前記口腔内に配列された複数の歯を示す歯列図を、含むことから、一本一本の歯単位でのブラッシング評価が可能であり、実際に磨残しが存在する歯の詳細な部位まで具体的且つ容易に知ることができる。
【００１５】
また、請求項３に係る考案の歯ブラシ処方袋によれば、前記評価は、互いに隣接する歯の間、歯と歯肉との間、臼歯の歯面のうちの少なくとも１つに関するものであり、前記磨残し量評価結果表示部は、前記互いに隣接する歯の間、歯と歯肉との間、臼歯の歯面のうちの少なくとも１つについて評価された磨残し量の評価結果を表示する少なくとも１つの項目別磨残し量評価結果表示部を、含むものであり、前記ブラッシング残部位表示部は、前記項目別磨残し量評価結果表示部に対応して配置され、その項目別磨残し量評価結果表示部で評価された磨残し量の存在部位を示すための前記互いに隣接する歯の間、歯と歯肉との間、臼歯の歯面の少なくとも１つを示す図が表示された項目別ブラッシング残部位表示部を、含むことから、一本一本の歯単位での項目別のブラッシング評価が可能であり、実際に磨残しが存在する歯のより詳細な部位まで具体的且つ容易に知ることができる。
【００１６】
また、請求項４に係る考案の歯ブラシ処方袋によれば、前記歯ブラシの毛先の種類を示す毛先種類表示部と、該歯ブラシの毛の硬さを、前記生体の口腔内の状態の程度を示す口腔内状態表示に対応させて示す毛硬さ表示部とを、更に含むことから、指導者によって選択された歯ブラシの種類或いは仕様を自己の歯肉状態と関連させて理解することができる。また、次に歯ブラシを購入する際に同じ種類或いは仕様の歯ブラシを購入することができる。
【図面の簡単な説明】
【００１７】
【図１】本考案の一実施例の歯ブラシ処方袋の構成を説明するための正面図である。
【図２】図１の実施例の歯ブラシ処方袋の裏面を説明する図である。
【図３】図１の実施例の歯ブラシ処方袋の要部構成を説明する図である。
【図４】図１の実施例の歯ブラシ処方袋の要部構成を説明する図であって、図３とは別の要部を説明する図である。
【考案を実施するための形態】
【００１８】
以下、本考案の一実施例を、図面を参照しつつ説明する。
【実施例】
【００１９】
図１は、歯ブラシ処方袋１０の表面１２を示している。その表面１２には、左側から順に、ブラッシングの指導を受けた日及びブラッシングの指導を受けた者の氏名を記入する氏名表示部１４と、歯磨き操作の磨残し量の評価結果を記入する磨残し量評価結果表示部１６と、歯肉炎の有無及び歯周病の有無を記入する口腔内状態表示部１８と、磨残し量評価結果表示部１６において評価された磨残しの存在部位を記入するための歯の図が表示されたブラッシング残部位表示部２０と、医院でのブラッシング状態の再チェックの要否を記入する再チェック要否表示部２２とが配置されていることにより、歯磨き操作の評価結果を記入することができるようになっている。歯ブラシ処方袋１０は、その表面１２の右端が開口しており、折返し位置Ｔで封止部２４を裏面へ折り返した後に粘着剤等で貼り付けることによってその開口を閉じることができる。氏名表示部１４の下側の空間は医院等のスタンプを押すために空けられている。歯ブラシ処方袋１０は、不透明な樹脂シート、紙等から長手封筒のように構成されたものでもよいが、透明樹脂シートから長手封筒状に構成されたものでもよい。後者の透明シートから成る歯ブラシ処方袋１０には、それと同様寸法の２枚の紙又はその長辺が接続された紙が内挿され、その紙に上記氏名表示部１４、磨残し量評価結果表示部１６、口腔内状態表示部１８、ブラッシング残部位表示部２０および再チェック要否表示部２２が印刷されるようにしてもよい。
【００２０】
図２は、歯ブラシ処方袋１０の裏面２６を示している。その裏面２６には、左側から順に、ブラッシング指導で使用した歯ブラシの毛先の種類を記入する毛先種類表示部２８と、ブラッシング指導で併用したケア用品を記入する併用ケア用品表示部３０と、ブラッシング指導で指導を受ける者の口腔内の状態及びブラッシング圧の強さ等に応じてその者が使用した歯ブラシの毛の硬さを記入する毛硬度表示部３２と、歯ブラシと併用することが推奨されるケア用品を記入する推奨併用ケア用品表示部３４とが配置されることにより、ブラッシング指導で使用した歯ブラシの種類或いは仕様を記入することができるようになっている。歯ブラシ処方袋１０の裏面２６の右下端にはその袋の内部にある歯ブラシ３６が見えるように窓部３８が設けられている。
【００２１】
図３は、図１の歯ブラシ処方袋１０の磨残し量評価結果表示部１６を拡大して示している。磨残し量評価結果表示部１６には、ブラッシング指導を受けた者の歯全体における磨残し量の評価を記入する全体磨残し量評価結果表示部４０と、歯の特定の箇所における磨残し量の種類別の評価をそれぞれ記入する項目別磨残し量評価結果表示部４２とが表示されている。項目別磨残し量評価結果表示部４２は、その磨残しの種類別の評価の項目毎に、互いに隣接する歯と歯との間の磨残し量を評価する歯間磨残し量評価結果表示部４４と、歯と歯肉との境目の磨残し量を評価する境目磨残し量評価結果表示部４６と、臼歯の歯面の磨残し量を評価する臼歯歯面磨残し量評価結果表示部４８とを含んでいる。
【００２２】
また、磨残し量評価結果表示部１６の全体磨残し量評価結果表示部４０、歯間磨残し量評価結果表示部４４、境目磨残し量評価結果表示部４６および臼歯歯面磨残し量評価結果表示部４８には、互いに平行な４本の評価線４０ａ、４４ａ、４６ａおよび４８ａに沿って、「がんばりましょう」から「良好」までの間で無段階に磨残し量を評価することができるように表示されており、項目ごとに別々の評価を記入することができる。それらの評価線４０ａ、４４ａ、４６ａおよび４８ａの左側にはそれぞれの評価内容の特徴を簡略的に表した図４０ｂ、４４ｂ、４６ｂおよび４８ｂがそれぞれ表示されている。特に、項目別磨残し量評価結果表示部４２内の図４４ｂ、４６ｂおよび４８ｂは、磨残しの種類に応じてその磨残しの位置が示されている。
【００２３】
図４は、図１の歯ブラシ処方袋１０のブラッシング残部位表示部２０を拡大して示している。ブラッシング残部位表示部２０は、口腔内の上下に配列された歯列を構成する一本一本の歯を示しており、磨残しのある歯の部位と対応するブラッシング残部位表示部２０中の歯の図に前記評価項目に対応した色又は記号をペンで記入等することによって、磨残しの種類毎に実際に磨残しが存在する歯の詳細な部位と磨残しの程度とを図示することができる。例えば、歯と歯の間を示す記号をＡ、歯と歯ぐきの境目を示す記号をＢ、奥歯の溝を示す記号をＣとすれば、図４に示すように、磨残しの種類毎に実際の磨残しの存在する部位を示すことができる。
【００２４】
また、ブラッシング残部位表示部２０は、項目別磨残し量評価結果表示部４２で評価された磨残し量の存在部位を、色又は記号で示される磨残しの種類毎について示すための項目別ブラッシング残部位表示部５０でもある。すなわち、項目別ブラッシング残部位表示部５０では、項目別磨残し量評価結果表示部４２と対応させることによって項目別磨残し量評価結果表示部４２で評価された特定の箇所の磨残しが口腔内に配列された複数の歯のうちどの歯のどの部位に存在するのかを示すことができる。
【００２５】
上述のように、本実施例の歯ブラシ処方袋１０によれば、歯磨き操作の磨残し量の評価結果を記入するためにその歯ブラシ処方袋１０の一面に表示された磨残し量評価結果表示部１６と、複数の歯のうち、その磨残し量評価結果表示部１６において評価された磨残しの存在部位を記入するための歯の図が表示されたブラッシング残部位表示部２０とを、含むことから、その歯ブラシ処方袋１０の表示を見るだけで、磨残し量及びその磨残しの存在する歯の部位を容易に知ることができる。
【００２６】
また、本実施例の歯ブラシ処方袋１０によれば、ブラッシング残部位表示部２０は、口腔内に配列された複数の歯を示す歯列図を、含むことから、一本一本の歯単位でのブラッシング評価が可能であり、実際に磨残しが存在する歯の詳細な部位まで具体的且つ容易に知ることができる。
【００２７】
また、本実施例の歯ブラシ処方袋１０によれば、評価は、互いに隣接する歯の間、歯と歯肉との間、臼歯の歯面のうちの少なくとも１つに関するものであり、磨残し量評価結果表示部１６は、その互いに隣接する歯の間、歯と歯肉との間、臼歯の歯面のうちの少なくとも１つについて評価された磨残し量の評価結果を表示する少なくとも１つの項目別磨残し量評価結果表示部４２を、含むものであり、ブラッシング残部位表示部２０は、項目別磨残し量評価結果表示部４２に対応して配置され、その項目別磨残し量評価結果表示部４２で評価された磨残し量の存在部位を示すための互いに隣接する歯の間、歯と歯肉との間、臼歯の歯面の少なくとも１つを示す図が表示された項目別ブラッシング残部位表示部５０を、含むことから、一本一本の歯単位での項目別のブラッシング評価が可能であり、実際に磨残しが存在する歯のより詳細な部位まで具体的且つ容易に知ることができる。
【００２８】
また、本実施例の歯ブラシ処方袋１０によれば、歯ブラシの毛先の種類を示す毛先種類表示部２８と、その歯ブラシの毛の硬さを、生体の口腔内の状態の程度を示す口腔内状態表示に対応させて示す毛硬さ表示部３２とを、更に含むことから、指導者によって選択された歯ブラシの種類或いは仕様を自己の歯肉状態と関連させて理解することができる。また、次に歯ブラシを購入する際に同じ種類或いは仕様の歯ブラシを購入することができる。
【００２９】
以上、本考案の一実施例を図面を参照して詳細に説明したが、本考案は更に別の態様でも実施される。
【００３０】
例えば、前述の実施例の歯ブラシ処方袋１０において、表面１２及び裏面２６には評価結果及び使用した歯ブラシの種類或いは仕様を記入するための表示が種々設けられているが、少なくとも磨残し量評価結果表示部１６及びブラッシング残部位表示部２０が設けられていれば、本考案の一応の効果は得られる。
【００３１】
また、前述の実施例の歯ブラシ処方袋１０は、ブラッシング評価のために使用した歯ブラシを収納することができ、その表面に評価結果を示すことができれば、樹脂シート、紙以外の材質の袋であってもよいし、袋に限られず、プラスチックのケース等であってもよい。
【００３２】
また、前述の実施例の歯ブラシ処方袋１０では、項目別磨残し量評価結果表示部４２に磨残しの種類毎の３つの項目の評価結果を記入することができたが、これらの項目に限られず、ブラッシング指導を受ける者の年齢等の条件によって種々の項目が採用され得る。
【００３３】
その他、一々例示はしないが、本考案はその趣旨を逸脱しない範囲で種々変更を加え得るものである。
【符号の説明】
【００３４】
１０：歯ブラシ処方袋
１６：磨残し量評価結果表示部
２０：ブラッシング残部位表示部
２８：毛先種類表示部
３２：毛硬さ表示部
４２：項目別磨残し量評価結果表示部
５０：項目別ブラッシング残部位表示部
【図１】
0003159825.tif 000003
【図２】
0003159825.tif 000004
【図３】
0003159825.tif 000005
【図４】
0003159825.tif 000006